(57)【特許請求の範囲】
【請求項１】
太陽熱で熱媒体を加熱する集熱器と、床下に設けた蓄熱材と、蓄熱材の内部を通る放熱パイプとを有し、集熱器と放熱パイプの間で熱媒体を循環させて床暖房を行わせるようにしたソーラーハウスにおいて、
前記蓄熱材を上下二層に分けると共に前記放熱パイプを下の層に通して主として下の層で蓄熱させるようになし、
一方、上の層に第二の放熱パイプを通してその放熱パイプに床暖用補助ボイラーを接続し、該床暖用補助ボイラーで熱媒体を加熱して第二の放熱パイプに流すようにしたことを特徴とするソーラーハウス。
【請求項２】
太陽熱で熱媒体を加熱する集熱器と、床下に設けた蓄熱材と、蓄熱材の内部を通る放熱パイプとを有し、集熱器と放熱パイプの間で熱媒体を循環させて床暖房を行わせるようにしたソーラーハウスにおいて、
前記蓄熱材と床材の間に空間を形成し、その空間に第二の放熱パイプを通して当該放熱パイプに床暖用補助ボイラーを接続し、該床暖用補助ボイラーで熱媒体を加熱して第二の放熱パイプに流すようにしたことを特徴とするソーラーハウス。
【請求項３】
請求項１又は２に記載の第二の放熱パイプに、床暖用補助ボイラーに加えて前記集熱器をも接続してなることを特徴とするソーラーハウス。
【発明の詳細な説明】
【０００１】
【発明の属する技術分野】
本発明は、太陽熱で床暖房を行わせるようにしたソーラーハウスに関する。
【０００２】
【従来の技術】
建物の床下に床暖用蓄熱材たる蓄熱コンクリートを設置し、太陽熱を熱源とする加熱手段でその蓄熱コンクリートを暖めて床暖房を行うようにしたソーラーハウスがある。このようなソーラーハウスの一例は実願昭５８−１０３５７号（実開昭５９−１１６７０９号）のマイクロフィルムに記載されているのであって、屋根に設置した太陽熱の集熱器で熱媒体を暖め、この熱媒体を集熱器と床下の間で循環させることにより蓄熱コンクリートを暖める。
【０００３】
【発明が解決しようとする課題】
上記ソーラーハウスは、昼間蓄熱材に蓄えた太陽熱を夜間に放出して２４時間暖房を行うものであるが、蓄熱材の蓄熱量には限界があるため、冷え込みが厳しい日の朝方になると蓄熱材の熱量が不足し、その不足分を補うために床暖用補助ボイラーが作動する。
【０００４】
ところが、従来は床暖用補助ボイラーで蓄熱材を暖めつつ床暖房を行うことになり、蓄熱材の温度が一定以下に下がらないシステムになっている。このことは蓄熱材の容量の一部が常に蓄熱状態になっていてその分太陽熱の蓄熱容量が減少していることを意味する。
【０００５】
【課題を解決するための手段】
請求項１に記載したように、太陽熱で熱媒体を加熱する集熱器と、床下に設けた蓄熱材と、蓄熱材の内部を通る放熱パイプとを有し、集熱器と放熱パイプの間で熱媒体を循環させて床暖房を行わせるようにしたソーラーハウスにおいて、前記蓄熱材を上下二層に分けると共に前記放熱パイプを下の層に通して主として下の層で蓄熱させるようになし、一方、上の層に第二の放熱パイプを通してその放熱パイプに床暖用補助ボイラーを接続し、該床暖用補助ボイラーで熱媒体を加熱して第二の放熱パイプに流すようにしたソーラーハウスを提供する。
【０００６】
また、請求項２に記載したように、太陽熱で熱媒体を加熱する集熱器と、床下に設けた蓄熱材と、蓄熱材の内部を通る放熱パイプとを有し、集熱器と放熱パイプの間で熱媒体を循環させて床暖房を行わせるようにしたソーラーハウスにおいて、前記蓄熱材と床材の間に空間を形成し、その空間に第二の放熱パイプを通して当該放熱パイプに床暖用補助ボイラーを接続し、該床暖用補助ボイラーで熱媒体を加熱して第二の放熱パイプに流すようにしたソーラーハウスを提供する。
【０００７】
また、請求項３に記載したように、請求項１又は２に記載の第二の放熱パイプに、床暖用補助ボイラーに加えて前記集熱器をも接続してなるソーラーハウスを提供する。
【０００８】
床暖用補助ボイラーで暖めた熱媒体が床材の近くを通るため、殆どのエネルギーが効率的に床暖房に使用され、その間も下の層からの放熱が続いて蓄熱可能な容量が増大する。従って集熱器で集めた太陽熱が下の層により多く蓄熱される。
【０００９】
【発明の実施の形態】
ソーラーハウス１は、屋根２に設置した集熱器３と、床下のスペース４に設けた蓄熱材５と、蓄熱材５中に張り巡らせた放熱パイプ６と、床暖用補助ボイラー７と、貯湯タンク８と、給湯用補助ボイラー９と、熱媒体（本例では不凍液）を循環させるポンプユニット１０で暖房システムを構成する。
【００１０】
【暖房システム】
そこで先ず本発明の暖房システムの詳細を図２の回路図により説明する。熱媒体が循環する経路は、集熱器３と蓄熱材５（正しくは放熱パイプ６であるが、便宜上「蓄熱材」という。）を循環する太陽熱暖房経路Ｘと、床暖用補助ボイラー７と蓄熱材５を循環する補助暖房経路Ｙと、集熱器３と貯湯タンク８内の熱交換器１１を循環する給湯経路Ｚに分けられる。但し、太陽熱暖房経路Ｘは蓄熱材５から集熱器３に戻る途中に貯湯タンク８の熱交換器１１を経由するようになっている。
【００１１】
全経路内には三個のポンプＰ１〜Ｐ３と、五個の電磁弁Ｖ１〜Ｖ５と、三個の温度センサーＳ１〜Ｓ３が設けられており、これらの全要素を制御装置（図示せず）に接続して前記三経路Ｘ，Ｙ，Ｚを切替制御する。なお、回路図中、符号１２は熱媒体を貯める貯液タンクであり、暖房システム停止時に集熱器３の熱媒体をその貯液タンク１２に貯める。そうすることにより夏期における熱媒体の沸騰を防止し、また、冬期における凍結を防止する。また、符号１２０は前記貯液タンク１２に接続された熱媒体補充用のパイプである。
【００１２】
この暖房システムは、太陽熱暖房経路Ｘによる太陽熱暖房モードと、補助暖房経路Ｙによる補助暖房モードと、給湯経路Ｚによる給湯モードと、全経路を閉じる停止モードを有し、それら各運転モードは次表に示すポンプＰ１〜Ｐ３と、電磁弁Ｖ１〜Ｖ５のＯＮ・ＯＦＦの組み合わせにより切り替えられる。なお、各運転モードは温度センサーＳ１〜Ｓ３の検出値と制御装置に組み込まれた設定値との比較で選択されるが、基本的には、太陽熱で床暖房が可能なときは太陽熱暖房モードが、太陽熱が得られないか又は不足するときには補助暖房モードが、床暖房が不要なときは給湯モードが、また、床暖房も給湯も不要なときは停止モードが選択され、さらに例えば太陽熱が床暖房には不足するが給湯の足しとして利用可能なときは補助暖房モードと給湯モードの双方が選択される。
【００１３】
【表１】
0003732133.tif 000002
【００１４】
【蓄熱材】
次に、蓄熱材５について説明する。蓄熱材５は、図３（ａ），（ｂ）に示したように、床材１４の裏面から床下の断熱材１４０までのスペース４のほぼ２／３の高さまで粒状の石５ａを敷き詰めてその石５ａの粒間に砂５ｂを充填し、さらにその石５ａと砂５ｂの混合物の上に炭５ｃを敷き詰めてなり、前記放熱パイプ６が石５ａと砂５ｂの混合物の中に張り巡らされている。なお、図３（ａ），（ｂ）は模式図であって、言うまでもなく実際の石５ａの粒間はもっと密である。
【００１５】
前記石５ａは砕石又は砂利を使用する。或いは、石５ａに代わる粒状の蓄熱主材としてガラス品又は陶磁品又は石膏の廃材を粒状に砕いたものを使用してもよい。ガラス品は例えばガラス瓶や車両用の窓ガラスを例示するが、それ以外のガラス品でもよい。また、陶磁品は、例えば陶磁製の食器類、花瓶類、装飾品類、タイル類、瓦類を例示するが、もちろんそれ以外の陶磁品でもよい。また、石膏は、陶磁器製品を製造する際に使用した使用済みの石膏型を例示するが、もちろんそれ以外の石膏でもよい。石５ａの代用品としてこのような廃材を利用すれば、現在社会問題化しているゴミ処理問題の解決にも貢献できる。一方、前記炭５ｃは主として木炭を使用するが、竹材から作られる竹炭であってもよい。
【００１６】
施工の手順としては、床下のスペース４の所定の位置に放熱パイプ６を設置し、根太１５（床材１４を支える横木）の上に床材１４を張る前に前記スペース４に石５ａ、砂５ｂ、炭５ｃの順に投入する。この手順から明らかなように蓄熱材５の施工に際して一切水を要しないため、木造家屋の二階以上の床下にも簡単に蓄熱材５を設置することができ、従って木造家屋の二階以上の床下に一階と同様の床暖房が施せる。
【００１７】
本発明の蓄熱材５は以上のように構成されているため、放熱パイプ６に太陽熱で暖められた熱媒体を通すと、その熱で石５ａと砂５ｂが暖められ、さらに上層の炭５ｃを介して床材１４が暖められて室温が上昇する。また、蓄熱材５は熱媒体の熱を蓄熱するから、太陽熱が得られない状態になると蓄熱した熱を放出して室温を保つ。そして、蓄熱材５の温度が下がると、前記のように回路が太陽熱暖房経路Ｘから補助暖房経路Ｙに切り替わり、床暖用補助ボイラー７で熱媒体を加熱して床暖房を継続させる。
【００１８】
なお、実施形態では一階部分の床に本発明の蓄熱材５を施したが、建物の一階部分に蓄熱コンクリートによる従来型の蓄熱材を使用し、二階以上の部分に本発明の蓄熱材５を使用するというように適宜組み合わせて使用してもよい。
【００１９】
また、本発明の蓄熱材５は、下が石５ａと砂５ｂの混合物の層で上が炭５ｃの層というように上下二層になっていて、主として下の層に蓄熱する構造であるが、その特徴を活かして、次のような暖房システムへの発展が可能である。すなわち、図４に示したように、石５ａと砂５ｂの層に通した放熱パイプ６と同構造の放熱パイプ６０を炭５ｃの層にも通してその放熱パイプ６０に床暖用補助ボイラー７を接続し、もって前記補助暖房経路Ｙを床暖用補助ボイラー７と炭５ｃの層に通した放熱パイプ６０で構成するのである。
【００２０】
このようにした暖房システムは、太陽熱を従来より有効に利用することができ２４時間暖房のための燃費削減に効果がある。つまり先に説明した暖房システムは、昼間蓄熱材５に蓄えた太陽熱を夜間に放出して２４時間暖房を行うものであるが、蓄熱材５の蓄熱量には限界があるため、冷え込みが厳しい日の朝方になると蓄熱材５の熱量が不足し、その不足分を補うために床暖用補助ボイラー７が作動する。
【００２１】
ところが、従来は床暖用補助ボイラー７で暖めた熱媒体が太陽熱暖房経路Ｘと同じ放熱パイプ６を通るようになっているため、床暖用補助ボイラー７で蓄熱材５を暖めつつ床暖房を行うことになり、蓄熱材５の温度が一定以下に下がらないシステムになっている。このことは蓄熱材５の容量の一部が常に蓄熱状態になっていてその分太陽熱の蓄熱容量が減少していることを意味する。
【００２２】
これに対して上記暖房システムでは、床暖用補助ボイラー７で暖めた熱媒体が床材１４に近い炭５ｃの層を通るため、殆どのエネルギーが効率的に床暖房に使用され、その間も石５ａと砂５ｂの層からの放熱が続いて蓄熱可能な容量が増大する。従って太陽熱暖房経路Ｘが作動開始すると、石５ａと砂５ｂの層に多くの太陽熱が蓄熱されることになる。なお、太陽熱暖房経路Ｘの作動開始当初において集熱器３の熱媒体が放熱パイプ６と放熱パイプ６０の双方に導かれるように回路を設定しておけば、太陽熱による暖房の立ち上げ時間が大幅に短縮できる。また、本暖房システムにおいて、石５ａと砂５ｂの層に相当する部分の構造は蓄熱可能であれば例えば従来の蓄熱コンクリートなどどのようなものでもよく、また、炭５ｃの層に相当する部分は単なる空間であってもよい。
【００２３】
【屋根材】
次に屋根材１６について説明する。図示した屋根材１６は、薄型箱状の中空構造である木製パネル主体１７と、その木製パネル主体１７の中空部に適度な厚みのマット状態に装填した断熱材１８の層と、中空部の残空間を埋める炭１９の層とからなる。
【００２４】
前記木製パネル主体１７は、表裏両面を構成する合板製の面板１７ａ，１７ｂと、周枠を構成する四片の木製側枠片１７ｃ〜１７ｆとを基本構成要素とし、木製側枠片１７ｃ〜１７ｆによる四角いリングの表裏両面に面板１７ａ，１７ｂを固着して薄型箱状の中空構造となす。また、実施形態の木製パネル主体１７は、この基本構成に加えて、表側の面板１７ａの内面全部にアルミ箔を貼るか又は電磁波シールド効果がある塗料を塗って形成した電磁波シールド層２０と、木製パネル主体１７の厚さのほぼ中央を前後（表裏）方向に仕切る中仕切板１７ｇと、面板１７ａ，１７ｂと中仕切板１７ｇの間の空間を小区画に仕切る骨組み状の間仕切部材１７ｈが設けられている。従って木製パネル主体１７は、木製で軽量ながら高い剛性を発揮する。
【００２５】
前記断熱材１８の層は、本実施形態では紙（新聞紙）を細かく粉砕して糊剤を加えたセルロース系繊維を前記中仕切板１７ｇに吹き付けて構成する。また、前記炭１９の層は、本実施形態では木炭で構成するものとし、前記中仕切板１７ｇと裏側の面板１７ｂの間に充填されている。なお、炭１９は竹材で作った竹炭に置き換えてもよい。
【００２６】
屋根材１６は以上のように構成されており、図５に二点鎖線で示したように屋根の骨組みたる垂木２１上に必要枚数を隙間無く並べて固定し、さらにその表面に防水シートを張って前記集熱器３を直付けし、それ以外の空いた部分に例えば瓦を敷き詰める。
【００２７】
本発明の屋根材１６は、予め中空部に断熱材１８の層が形成されているため、現場において別途断熱材を取り付ける必要がなく、頗る作業性がよい。そしてさらに中空部に炭１９の層が設けられているため、その炭１９が調湿、脱臭、防虫作用をも発揮するから、屋根材１６自体の耐久性が高く、また、居住性の向上にも大きく貢献する。
【００２８】
以上本発明の屋根材１６を実施の形態について説明したが、もちろん上記実施形態に限定されるものではない。例えば実施形態では断熱材１８にセルロース系繊維を使用したが、それ以外の断熱材であってもよい。もっともセルロース系繊維の断熱材１８は、天然素材であって有害物質を含まず、しかも古紙のリサイクルにも貢献することができる点で優れている。また、断熱材１８をマット状態に装填する方法は、実施形態のようにセルロース系繊維の吹付けに限定されるものではなく、例えば断熱性を有する薄いシートを何層にも積み重ねてマット状態にするか、或いは発泡剤で発泡させてマット状態にする、などどのようなものでもよい。
【００２９】
また、実施形態では木製パネル主体１７に中仕切板１７ｇと間仕切部材１７ｈを形成したが、木製パネル主体１７を小さくした場合には両者とも不要な場合があり、或いは中仕切板１７ｇを省略して間仕切部材１７ｈのみを形成する場合もある。それらの場合には、断熱材１８の層に炭１９の層が密着する。
【００３０】
また、実施形態では断熱材１８の層と炭１９の層を同厚に形成したが、どちらか一方を厚くして他方を薄くするようにすることも可能である。また、電磁波シールド層２０を設ける場所は実施形態に限定されるものではなく、例えば中仕切板１７ｇの表裏両面に電磁波シールド効果がある塗料を塗るか、或いは木製パネル主体１７の表面（面板１７ａの表面）に電磁波シールド効果がある塗料を塗ってもよい。後者の場合は、面板１７ａの表面が塗料で保護されるため防水性能が向上し、また、屋根材１６の表裏も見分けやすいという副次的効果が期待できる。
【００３１】
なお、本発明の屋根材は次のような技術思想を含む。すなわち「薄型箱状の中空構造にした木製パネル主体と、その木製パネル主体の中空部に適度な厚みのマット状態に装填した断熱材の層と、前記中空部の残空間を埋める炭の層と、電磁波シールド層とを層状に重ね、前記木製パネル主体内の断熱材の層と炭の層の境界部分に中仕切板を介装し、さらに木製パネル主体の表裏両面を構成する面板と前記中仕切板の間に間仕切部材を設けて中空部内を複数の小区画に仕切るようにした屋根材。」
【００３２】
【室内保温手段】
次に、室内保温手段について説明する。ソーラーハウス１には、図１に示したようにガラス戸２２ａ付きの大きな開口部２２に自動開閉可能なカーテン２３が設置されている。このカーテン２３は、例えば図９に示したように、巻上げ式のロールカーテン２３ａと、そのロールカーテン２３ａの巻取り軸（図示せず）の一端に設けた手動操作用のチェーン２３ｂと、ロールカーテン２３ａの巻取り軸の他端に設けたクラッチ内蔵型のモーター２３ｃとからなり、モーター２３ｃを正逆回転させると内蔵クラッチが繋がってロールカーテン２３ａが上下動し、一方、モーター２３ｃがＯＦＦの場合に内蔵クラッチが切れてチェーン２３ｂによるロールカーテン２３ａの手動操作を可能とする。
【００３３】
このカーテン２３の開閉は別途制御装置（図示せず）で制御されるようになっている。制御装置にはタイマー回路と、ソーラーハウス１の外壁面に設置した光センサー２４が接続されており、時刻と光量の二つの条件でカーテン２３を開閉させる。
【００３４】
次に図１０のフローチャートによりカーテン２３の自動制御の一例について説明する。先ず電源を投入し、ステップＳ１でタイマーを設定する。設定時刻は、例えば１６時３０分とする。冬場のこの時間帯は、日没前で明るさは残っているものの日射熱が殆ど期待できないため、それまで日射熱の取り入れ口であった開口部２２が放熱口に転じる可能性が高い。
【００３５】
次にステップＳ２において設定時刻に達したか否かを判断し、設定時刻前であればステップＳ３に移って光センサー２４の信号により外が暗くないかを判断する。ここで外が暗くないと判断されればステップＳ２に戻る。
【００３６】
次に上記のようにステップＳ２，Ｓ３を繰り返しているうちに、やがてタイマーの設定時刻に達するが、その場合はステップＳ２からステップＳ４に移行してカーテン２３を閉じる。具体的にはカーテン２３のモーター２３ｃを作動させてロールカーテン２３ａを降ろす。
【００３７】
一方、ステップＳ２で設定時刻に達しないと判断されながら、ステップＳ３で外が暗くなったと判断された場合は、天候の悪化とみなしてカーテン２３を閉じる。カーテン２３は光センサー２４が反応した直後に閉じるようにしてもよいが、光センサー２４の最初の反応から数分後に再度光センサー２４で外の明るさを確認してからカーテン２３を閉じるようにするのがよい。そうすることにより、ごく短時間の一時的な状況の変化に過敏に反応してカーテン２３が閉じてしまう、という不具合が生じにくい。
【００３８】
次にカーテン２３を閉じた後はステップＳ５でタイマーを変更するか否か、つまりタイマー変更のキー入力があったかを判断し、タイマー変更のキー入力がなければステップＳ２に戻って毎日同時刻にカーテン２３を閉じる。また、タイマーの変更を選択した場合はステップＳ１で設定時刻を変更して上記の動作を繰り返すことになる。なお、実施形態においてカーテン２３の開動作はチェーン２３ｂにより手動で行うものとする。もちろんタイマーを利用して、カーテン２３の開動作をモーター２３ｃで行うようにすることも可能であり、例えば朝７時にカーテン２３が自動的に開くように設定してもよい。そうすることにより朝の日射しによる自然な目覚めが期待できる。
【００３９】
以上本発明の室内保温手段を実施の形態について説明したが、もちろん上記実施形態に限定されるものではない。例えば、実施形態では巻上げ式のカーテン２３を例示したが、自動開閉可能なブラインドでもよい。ブラインドの開閉はルーバー（羽根板）の角度を変更することにより行う。また、本発明のカーテン又はブラインドの概念には、開口部２２の外側に設置する自動開閉式の金属又は合成樹脂製の巻上げ式扉（いわゆるシャッター）も含まれる。また、カーテン２３も巻上げ式のものに限らず、布地を水平方向にスライドさせる一般的な片開き或いは両開き構造にしてもよい。
【００４０】
また、実施形態の自動開閉式のカーテン２３に室内照明のＯＮ・ＯＦＦ機能を付加すれば、住宅の防犯対策にも有用性を発揮する。すなわち、例えば制御装置の操作パネルには前記したタイマーの入力キーが設けられているから、その操作パネルの一部にモード変更キーを設け、そこで留守モードを選択すると、タイマー設定により例えば、午後４時３０分にカーテン２３を閉じ、午後５時に室内照明をつけ、午後１１時に室内照明を消し、朝７時にカーテン２３を開く、というプログラムを留守中毎日繰り返し実行するのである。或いはタイマーと光センサー２４を併用し、光センサー２４の検知により外が暗くなった段階でカーテン２３を閉じると共に室内照明をつけ、タイマーの作動により午後１１時に室内照明を消し、光センサー２４の検知により外が明るくなった段階でカーテン２３を開く、というプログラムを留守中毎日繰り返し実行するのである。こうすることにより室内に人が居るように見えるから高い防犯効果が得られる。
【００４１】
また、本発明は主として冬期に効果を発揮するものであるが、夏期の場合でも暑さ対策に利用できる。すなわち、タイマーをＯＦＦにして光センサー２４のみを有効にすれば、外が明るくなるとカーテン２３が閉じ、暗くなるとカーテン２３が開く、という動作を繰り返させることができるから、日中は日射熱による室温上昇を抑制することができ、日没後は室内にこもった熱気をガラス越しに開口部２２から逃がすことができる。もちろんこのようなカーテン２３の開閉はタイマーによって行ってもよい。
【００４２】
また、室内に人が居る場合にカーテン２３の自動開閉を無効にしたい要求（例えば不気味さを感じるケースが考えられる。）がある場合は、例えば室内照明とカーテン２３の制御装置を電気的に接続させ、室内照明がついている場合には人が居るとみなしてカーテン２３の自動制御を無効にすることもできる。その場合には、室内にいる人が自己の判断でカーテン２３を手動で操作することになる。なお、人の検知を室内照明とのリンクで行うことのメリットはコストの低さにあるが、検知の正確さを追求するなら赤外線センサーなど他のセンサーを使用すればよい。
【００４３】
なお、本発明の室内保温手段は次のような技術思想を含む。「建物の窓や扉などの開口部に少なくとも自動閉動可能なようにカーテン又はブラインドを設置し、そのカーテン又はブラインドは、外が暗くなるより前に閉じるようにタイマーを設定すると共にそのタイマーの設定時刻より前に暗くなったことを光センサーが感知した場合に閉じるように設定した室内保温手段。」
【００４４】
以上本発明を実施の形態について説明したが、もちろん本発明は上記実施形態に限定されるものではない。例えば、実施形態のソーラーハウス１は、蓄熱材５と屋根材１６と室内保温手段の三要素の全てを備えさせるようにしたが、蓄熱材５と屋根材１６、或いは蓄熱材５と室内保温手段、さらには屋根材１６と室内保温手段、というように適宜に組み合わせて使用することもできる。
【００４５】
【発明の効果】
本発明のソーラーハウスは、床暖用補助ボイラーで暖めた熱媒体が床材の近くを通るため、床暖用補助ボイラーの殆どのエネルギーが効率的に床暖房に使用され、その間も下の層からの放熱が続いて蓄熱可能な容量が増大する。従って集熱器で集めた太陽熱を下の層により多く蓄熱することが可能になる。
【図面の簡単な説明】
【図１】  ソーラーハウスの概略を示す断面図である。
【図２】  暖房システムの回路図である。
【図３】  （ａ）は蓄熱材を示す要部の拡大断面図、（ｂ）は（ａ）のＡＺ−ＡＺ線断面図である。
【図４】  暖房システムの他の形態を示す回路図である。
【図５】  建物用断熱パネルの縦断面図である。
【図６】  建物用断熱パネルの斜視図である。
【図７】  建物用断熱パネルの一部を示す分解斜視図である。
【図８】  建物用断熱パネルの図５の残りの部分を示す分解斜視図である。
【図９】  カーテンの斜視図である。
【図１０】  カーテンの自動制御を説明するフローチャートである。
【符号の説明】
１  …ソーラーハウス
３  …集熱器
５  …蓄熱材
５ａ…石（下の層）
５ｂ…砂（下の層）
５ｃ…炭（上の層）
６  …放熱パイプ
６０…第二の放熱パイプ
７  …床暖用補助ボイラー
【図１】
0003732133.tif 000003
【図２】
0003732133.tif 000004
【図３】
0003732133.tif 000005
【図４】
0003732133.tif 000006
【図５】
0003732133.tif 000007
【図６】
0003732133.tif 000008
【図７】
0003732133.tif 000009
【図８】
0003732133.tif 000010
【図９】
0003732133.tif 000011
【図１０】
0003732133.tif 000012